(57)【特許請求の範囲】
【請求項１】
所定のアプリケーションを紹介する第１の携帯端末と、前記所定のアプリケーションを紹介される第２の携帯端末と、前記第１の携帯端末に前記紹介に係る特典を付与する管理サーバとを備えるアプリケーション提供システムであって、
前記第１の携帯端末は、
前記所定のアプリケーションを紹介する操作を受け付けたことに応じて、当該アプリケーションの格納先と関連付けられ、前記第１の携帯端末を識別する識別情報を含むＵＲＬを通知する紹介部を有し、
前記第２の携帯端末は、前記ＵＲＬを介して前記所定のアプリケーションを取得してインストールするインストール部と、
インストールされた前記所定のアプリケーションが起動したことに応じて、前記識別情報を前記管理サーバに送信する識別情報送信部とを有し、
前記管理サーバは、
前記第２の携帯端末から前記識別情報を受信する識別情報受信部と、
前記識別情報受信部が受信した前記識別情報に対応する第１の携帯端末に前記特典を付与する特典付与部とを有し、
前記紹介部は、前記アプリケーションに対応するコンテンツを紹介する紹介文と、当該コンテンツを肯定的に評価するための評価画像とを含む紹介情報を前記管理サーバから受信し、当該評価画像を押下する操作を受け付けたことにより、当該評価画像が押下された旨を示す押下情報をＳＮＳサーバに送信し、
前記インストール部は、前記評価画像が押下されたことを示す押下通知情報を前記ＳＮＳサーバから受信すると、前記紹介文のリクエストを前記管理サーバに送信し、
前記管理サーバは、前記第２の携帯端末から前記リクエストを受け付けると、前記紹介文と、前記所定のアプリケーションをインストールするための画像とを含む紹介情報を当該第２の携帯端末に送信する制御部をさらに有する、
アプリケーション提供システム。
【請求項２】
前記第１の携帯端末は、前記所定のアプリケーションがインストールされた後に当該アプリケーションを起動したことに応じて、前記識別情報を生成する生成部をさらに有し、
前記紹介部は、前記生成部が生成した前記識別情報を含む前記ＵＲＬを通知する、
請求項１に記載のアプリケーション提供システム。
【請求項３】
前記管理サーバは、前記識別情報受信部が受信した前記識別情報を記憶部に記憶させる記憶制御部をさらに有し、
前記第１の携帯端末は、前記所定のアプリケーションを起動したことに応じて、前記識別情報を含み、前記特典の要求を示す特典要求情報を送信する特典要求部をさらに有し、
前記特典付与部は、前記第１の携帯端末から特典要求情報を受信し、当該特典要求情報に含まれる前記識別情報が前記記憶部に記憶されている場合に、前記特典要求情報を送信した第１の携帯端末に前記特典を付与する、
請求項１又は２に記載のアプリケーション提供システム。
【請求項４】
前記ＵＲＬに含まれているアドレスは、前記管理サーバのアドレスであり、
前記管理サーバは、前記第２の携帯端末から前記ＵＲＬに基づくリクエストを受け付けると、当該第２の携帯端末のオペレーティングシステムに対応する前記所定のアプリケーションのダウンロード先のＵＲＬをリダイレクト用のＵＲＬとして、当該第２の携帯端末に送信するＵＲＬ通知部をさらに有し、
前記インストール部は、前記ダウンロード先のＵＲＬにアクセスし、前記所定のアプリケーションを取得してインストールする、
請求項１から３のいずれか１項に記載のアプリケーション提供システム。
【請求項５】
請求項１から４のいずれか１項に記載の所定のアプリケーションの機能を選択させる選択画面を、端末に送信する選択画面送信部と、
前記端末における前記選択画面での選択内容を受信する選択内容受信部と、
前記選択内容に基づいて、前記所定のアプリケーションを作成する作成部とを備える、
アプリケーション提供システム。
【発明の詳細な説明】
【技術分野】
【０００１】
本発明は、携帯端末にアプリケーションを提供するアプリケーション提供システムに関する。
【背景技術】
【０００２】
従来、アプリケーションをダウンロードしてインストールするスマートフォン等の携帯端末が知られている（例えば、特許文献１参照）。このような携帯端末では、アプリケーションを配信するサイトにアクセスし、携帯端末のユーザが所望するアプリケーションを検索してダウンロードすることができる。
【先行技術文献】
【特許文献】
【０００３】
【特許文献１】特開２０１２−１７４２０７号公報
【発明の概要】
【発明が解決しようとする課題】
【０００４】
ところで、近年、店舗からの情報を効率的に配信するために、店舗用のアプリケーションが提供されている。店舗側は、店舗用のアプリケーションがインストールされている携帯端末に対して、店舗で販売する商品のおすすめ情報や最新情報を提供することができる。
【０００５】
この店舗用のアプリケーションは、当該店舗を利用したことのあるユーザや当該店舗に興味があるユーザが、自身の携帯端末にインストールする機会が多い。しかしながら、当該店舗を利用したことのないユーザや当該店舗を知らないユーザが、自身の携帯端末にインストールする機会が少ないという問題があった。
【０００６】
本発明は、店舗用のアプリケーションのインストール数を増加させることができるアプリケーション提供システムを提供することを目的とする。
【課題を解決するための手段】
【０００７】
上記課題を解決するために、本発明に係るアプリケーション提供システムは、所定のアプリケーションを紹介する第１の携帯端末と、前記所定のアプリケーションを紹介される第２の携帯端末と、前記第１の携帯端末に前記紹介に係る特典を付与する管理サーバとを備えるアプリケーション提供システムであって、前記第１の携帯端末は、前記所定のアプリケーションを紹介する操作を受け付けたことに応じて、当該アプリケーションの格納先と関連付けられ、前記第１の携帯端末を識別する識別情報を含むＵＲＬを通知する紹介部を有し、前記第２の携帯端末は、前記ＵＲＬを介して前記所定のアプリケーションを取得してインストールするインストール部と、インストールされた前記所定のアプリケーションが起動したことに応じて、前記識別情報を前記管理サーバに送信する識別情報送信部とを有し、前記管理サーバは、前記第２の携帯端末から前記識別情報を受信する識別情報受信部と、前記識別情報受信部が受信した前記識別情報に対応する第１の携帯端末に前記特典を付与する特典付与部とを有することを特徴とする。
【０００８】
また、本発明に係るアプリケーション提供システムでは、前記第１の携帯端末は、前記所定のアプリケーションがインストールされた後に当該アプリケーションを起動したことに応じて、前記識別情報を生成する生成部をさらに有し、前記紹介部は、前記生成部が生成した前記識別情報を含む前記ＵＲＬを通知してもよい。
【０００９】
また、本発明に係るアプリケーション提供システムでは、前記管理サーバは、前記識別情報受信部が受信した前記識別情報を記憶部に記憶させる記憶制御部をさらに有し、前記第１の携帯端末は、前記所定のアプリケーションを起動したことに応じて、前記識別情報を含み、前記特典の要求を示す特典要求情報を送信する特典要求部をさらに有し、前記特典付与部は、前記第１の携帯端末から特典要求情報を受信し、当該特典要求情報に含まれる前記識別情報が前記記憶部に記憶されている場合に、前記特典要求情報を送信した第１の携帯端末に前記特典を付与させてもよい。
【００１０】
また、本発明に係るアプリケーション提供システムでは、前記ＵＲＬに含まれているアドレスは、前記管理サーバのアドレスであり、前記管理サーバは、前記第２の携帯端末から前記ＵＲＬに基づくリクエストを受け付けると、当該第２の携帯端末のオペレーティングシステムに対応する前記所定のアプリケーションのダウンロード先のＵＲＬをリダイレクト用のＵＲＬとして、当該第２の携帯端末に送信するＵＲＬ通知部をさらに有し、前記インストール部は、前記ダウンロード先のＵＲＬにアクセスし、前記所定のアプリケーションを取得してインストールしてもよい。
【００１１】
また、本発明に係るアプリケーション提供システムでは、前記紹介部は、前記管理サーバから受信した紹介情報のＵＲＬをＳＮＳサーバに通知し、前記インストール部は、前記ＳＮＳサーバから前記紹介情報のＵＲＬを含む紹介通知情報を受信し、当該紹介情報のＵＲＬに基づくリクエストを送信し、前記ＵＲＬ通知部は、前記第２の携帯端末から、前記紹介情報のＵＲＬに基づくリクエストを受け付けると、前記所定のアプリケーションのダウンロード先のＵＲＬを含む前記紹介情報を当該第２の携帯端末に送信し、前記インストール部は、前記ダウンロード先のＵＲＬにアクセスし、前記所定のアプリケーションを取得してインストールしてもよい。
【００１２】
また、本発明に係るアプリケーション提供システムでは、前記紹介部は、前記ＳＮＳサーバに対して前記ＵＲＬを通知し、前記インストール部は、前記ＳＮＳサーバから前記ＵＲＬを含む紹介情報を受信し、当該紹介情報に含まれるＵＲＬを介して前記所定のアプリケーションを取得してインストールしてもよい。
【００１３】
また、本発明に係るアプリケーション提供システムは、上記の所定のアプリケーションの機能を選択させる選択画面を端末に送信する選択画面送信部と、前記端末における前記選択画面での選択内容を受信する選択内容受信部と、前記選択内容に基づいて、前記所定のアプリケーションを作成する作成部とを備えてもよい。
【発明の効果】
【００１４】
本発明によれば、店舗用のアプリケーションのインストール数を増加させることができる。
【図面の簡単な説明】
【００１５】
【図１】第１の実施形態に係るアプリケーション提供システムの概要図である。
【図２Ａ】第１の実施形態に係る管理サーバのアプリケーション作成機能における設定画面の一例を示す図である。
【図２Ｂ】第１の実施形態に係る管理サーバのアプリケーション作成機能における紹介情報等の設定画面を示す図である。
【図３】第１の実施形態に係る第１の携帯端末、第２の携帯端末、及び管理サーバの機能構成図である。
【図４】第１の実施形態に係る所定のアプリケーションの紹介画面の例を示す図である。
【図５】第１の実施形態に係る紹介履歴ＤＢに記憶されているユニークＩＤを示す図である。
【図６】第１の実施形態に係るアプリケーション提供システムにおいて、ユニークＩＤが紹介履歴ＤＢに記憶されるまでのシーケンスの一例を示す図である。
【図７】第１の実施形態に係る第１の携帯端末が特典を要求してから特典が付与されるまでのシーケンスの一例を示す図である。
【図８】第２の実施形態に係るアプリケーション提供システムの概要図である。
【図９】第２の実施形態に係るアプリケーション提供システムにおいて、ＳＮＳサービスを利用して所定のアプリケーションに関連するＵＲＬを通知するシーケンスの一例を示す図である。
【図１０Ａ】第２の実施形態に係る第１の携帯端末において、所定のアプリケーションを介して最新情報が表示された例を示す図である。
【図１０Ｂ】第２の実施形態に係る第２の携帯端末において、ブラウザを介して押下通知情報が表示された例を示す図である。
【図１０Ｃ】第２の実施形態に係る第２の携帯端末において、ブラウザを介して最新情報が表示された例を示す図である。
【図１１】第３の実施形態に係る所定のアプリケーションの紹介画面の例を示す図である。
【発明を実施するための形態】
【００１６】
以下、本発明の実施形態について説明する。
＜第１の実施形態＞
［アプリケーション提供システムＳの概要］
図１は、第１の実施形態に係るアプリケーション提供システムＳの概要図である。
アプリケーション提供システムＳは、第１の携帯端末１と、第２の携帯端末２と、管理サーバ３と、第１のアプリケーションサーバ４と、第２のアプリケーションサーバ５と、店舗端末６とを備える。
【００１７】
第１の携帯端末１と第２の携帯端末２とは、例えば携帯電話機であり、インターネット等の通信ネットワークＮを介して、管理サーバ３、第１のアプリケーションサーバ４、及び第２のアプリケーションサーバ５と通信可能に接続されている。また、店舗端末６は、例えば店舗の管理者が使用する端末であり、通信ネットワークＮを介して管理サーバ３と接続されている。
【００１８】
管理サーバ３は、スマートフォン等の携帯端末が利用可能な店舗用のアプリケーション（以下、所定のアプリケーションという。）を作成するアプリケーション作成機能と、当該アプリケーションを携帯端末に紹介する紹介機能とを有している。
【００１９】
アプリケーション作成機能は、所定のアプリケーションを作成するための機能である。管理サーバ３は、所定のアプリケーションの機能を選択させる選択画面を、店舗端末６に送信する選択画面送信部と、店舗端末６における選択画面での選択内容を受信する選択内容受信部と、選択内容に基づいて、所定のアプリケーションを作成する作成部とを有している。管理サーバ３は、例えば店舗端末６から、所定のアプリケーションの作成要求を受け付けると、所定のアプリケーションを作成するための複数の入力項目と、登録ボタンとが表示された選択画面を店舗端末６に送信する。
【００２０】
この入力項目には、商品・サービスカテゴリの基本設定、商品・サービスカテゴリのデザイン設定、アプリケーションの紹介設定、顧客への告知事項、クーポンの設定、店舗情報、店舗へのアクセス情報、アプリケーションの表示に係るテンプレート等の項目が含まれている。
【００２１】
例えば、商品・サービスカテゴリの基本設定では、カテゴリの有無、カテゴリの表示形式、カテゴリ名、アイコンの選択を行うことができる。図２Ａは、第１の実施形態に係る管理サーバ３のアプリケーション作成機能における設定画面の一例を示す図である。図２Ａに示されるように、各入力項目の設定は、例えば、ラジオボタンによって選択することが可能である。なお、各入力項目の設定は、チェックボックスやコンボボックス等、ラジオボタンと異なる手段によって選択されてもよい。
【００２２】
また、商品・サービスカテゴリのデザイン設定では、フォントアイコン、リンクボタン、画像アイコン、メニューバーの選択を行うことができる。具体的には、フォントアイコン、リンクボタン、画像アイコン、メニューバーのそれぞれについて詳細な設定を行うことができる。ここで、フォントアイコンとは、例えば、単純な図形の組み合わせによって表現されたアイコンである。
【００２３】
例えば、フォントアイコンの設定では、フォントアイコンの配置の設定、フォントアイコンに対応するテキストの有無の設定、フォントアイコンに対応するテキストが有る場合の当該テキストのサイズ、色及び太字表示の適用の設定、並びに、各商品・サービスカテゴリに対するフォントアイコンの割り当て及びフォントアイコンの色の設定を行うことができる。
【００２４】
また、リンクボタンの設定では、リンクボタンの配置の設定、リンクボタンに示されるテキストのサイズ、色及び太字表示の適用の設定、並びに、各商品・サービスカテゴリに対するリンクの割り当て及びリンクボタンの色の設定を行うことができる。
【００２５】
また、画像アイコンの設定では、画像アイコンの配置の設定（例えば、画像の角の丸みの強弱、画像の縁取りのデザイン設定、シャドー処理の強弱）、画像アイコンに示されるテキストのサイズ、色及び太字表示の適用の設定を行うことができる。
【００２６】
また、メニューバーの設定では、メニューバーの表示態様、メニューバーに示されるテキストのサイズ、色及び太字表示の適用の設定、メニューバーの色の設定を行うことができる。
さらに、これらの詳細な設定の途中では、設定内容を反映したプレビュー画面を表示することができる。
【００２７】
図２Ｂは、第１の実施形態に係る管理サーバのアプリケーション作成機能における管理サーバ３の紹介情報等の設定画面を示す図である。当該設定画面では、例えば、送信メッセージの設定と、特典提供の設定を行うことができる。各設定項目に入力された情報は、紹介機能によって用いられる情報である。
【００２８】
送信メッセージの設定では、アプリケーションを紹介する際に知り合いに送信するメッセージのタイトルや、送信するメッセージの内容、すなわち、紹介情報を設定することができる。また、この設定画面では、紹介機能によって通知するＵＲＬについて、直接設定する必要がない。例えば、送信メッセージに示される「＄＄ＵＲＬ＄＄」は、送信メッセージを用いて紹介する際に、別途設定される所定のアプリケーションのＵＲＬに置換される。送信メッセージの設定において設定された情報は、例えば、携帯端末において所定のアプリケーションを実行し、当該アプリケーションにおいて紹介画面を表示する場合に表示される。
【００２９】
特典提供の設定では、特典提供の達成数、通知メッセージの内容、提供する特典を設定することができる。特典提供の達成数は、特典の付与に必要となる所定のアプリケーションのダウンロード数である。例えば、「１」が設定されている場合、所定のアプリケーションを他のユーザに紹介し、１台の携帯端末において所定のアプリケーションがインストールされたことに応じて特典が付与される。通知メッセージの内容は、特典の付与時に、特典を付与される携帯端末に表示するメッセージの内容である。提供する特典は、提供する特典を特定するための情報であり、例えば、複数のクーポン情報から一のクーポン情報を選択することができる。
【００３０】
店舗端末６のユーザが、これらの入力項目のそれぞれについて選択することによって入力を終え、登録ボタンを押下すると、店舗端末６は、これらの入力された情報を管理サーバ３に送信する。管理サーバ３は、入力された情報（選択内容）を受信すると、当該情報に基づいて所定のアプリケーションを作成する。
【００３１】
管理サーバ３によって作成された所定のアプリケーションは、店舗端末６のユーザによって、第１のアプリケーションサーバ４と第２のアプリケーションサーバ５との少なくともいずれかに登録される。その後、第１の携帯端末１及び第２の携帯端末２が第１のアプリケーションサーバ４、又は第２のアプリケーションサーバ５にアクセスして所定のアプリケーションをダウンロードし、インストールを行うことで、これらの携帯端末において所定のアプリケーションの実行が可能になる。
【００３２】
紹介機能は、以下に示すように既に所定のアプリケーションがインストールされている携帯端末から、他の端末に対してアプリケーションを紹介するための機能である。
まず、所定のアプリケーションをインストールしている第１の携帯端末１は、所定のアプリケーションの格納先と関連付けられ、第１の携帯端末１を識別する識別情報（以下、ユニークＩＤという）を含むＵＲＬを第２の携帯端末２に通知する。第２の携帯端末２は、当該ＵＲＬを介して所定のアプリケーションをインストールし、当該アプリケーションを起動すると、ユニークＩＤを管理サーバ３に送信する。管理サーバ３は、ユニークＩＤを受信し、当該ユニークＩＤに対応する第１の携帯端末１に特典を付与する。
【００３３】
続いて、アプリケーション提供システムＳを構成する第１の携帯端末１と、第２の携帯端末２と、管理サーバ３とについて、紹介機能の詳細な説明を行う。図３は、第１の実施形態に係る第１の携帯端末１、第２の携帯端末２、及び管理サーバ３の機能構成図である。
【００３４】
［第１の携帯端末１の構成例］
最初に、第１の携帯端末１について説明する。第１の携帯端末１は、表示部１１と、操作部１２と、記憶部１３と、制御部１４とを備える。
【００３５】
表示部１１は、例えば、液晶ディスプレイや有機ＥＬディスプレイ等により構成される。表示部１１は、制御部１４の制御に応じて文字や図形等を表示する。
操作部１２は、例えば、ボタンや、表示部１１に重ねて設けられた接触センサ等により構成される。操作部１２は、第１の携帯端末１のユーザから操作入力を受け付ける。
記憶部１３は、例えば、ＲＯＭ、ＲＡＭ及びハードディスク等により構成される。記憶部１３は、第１の携帯端末１を機能させるための各種プログラムを記憶する。記憶部１３は、所定のアプリケーションを記憶する。なお、記憶部１３は、例えば、第１の携帯端末１に装着されるＳＤメモリーカード等の記憶媒体に各種プログラムを記憶してもよい。
【００３６】
制御部１４は、例えば、ＣＰＵ等のコンピュータとして機能するデバイスにより構成される。制御部１４は、第１の携帯端末１に係る機能を統括的に制御する。制御部１４は、所定のアプリケーションを実行することにより、生成部１４１と、紹介部１４２と、特典要求部１４３と、特典受信部１４４として機能する。
【００３７】
生成部１４１は、所定のアプリケーションがインストールされた後に、当該アプリケーションが起動したことに応じて、第１の携帯端末１のユニークＩＤを生成する。具体的には、記憶部１３に記憶され、インストールされている所定のアプリケーションを制御部１４が実行して、当該アプリケーションを起動させると、当該アプリケーションの一機能である生成部１４１がユニークＩＤを生成する。生成部１４１は、例えば、第１の携帯端末１のＭＡＣアドレスと、現在時刻（年月日時分秒）をつなぎ合わせた文字列とを連結した文字列について、ハッシュ値を生成し、当該ハッシュ値をユニークＩＤとする。なお、第１の携帯端末１は、当該端末に関連付けられている固有識別情報や電話番号に基づいてユニークＩＤを生成してもよい。また、生成部１４１は、所定のアプリケーションの初回起動時のみユニークＩＤを生成してもよい。生成部１４１は、生成したユニークＩＤを記憶部１３に記憶させる。
【００３８】
紹介部１４２は、操作部１２が所定のアプリケーションを他の携帯端末に紹介する操作を受け付けたことに応じて、当該アプリケーションの格納先と関連付けられ、生成部１４１が生成したユニークＩＤを含むＵＲＬを通知する。
【００３９】
具体的には、紹介部１４２は、操作部１２の操作を受け付けたことに応じて、紹介画面を表示部１１に表示させる。図４は、第１の実施形態に係る表示部１１に所定のアプリケーションの紹介画面が表示された例を示す図である。この紹介画面は、例えば、管理サーバ３のアプリケーション作成機能によって選択された紹介情報に基づいて作成される。図４に示されるように、紹介画面には、件名１１１と、所定のアプリケーションの紹介文１１２と、ＵＲＬ１１３と、紹介ボタン１１４と、宛先１１５とが表示されている。
【００４０】
件名１１１は、管理サーバ３のアプリケーション作成機能によって入力された送信メッセージの件名を示す。ここで、件名１１１は、操作部１２を介して変更されてもよい。
紹介文１１２は、管理サーバ３のアプリケーション作成機能によって入力された紹介情報を示す。ここで、紹介文１１２は、操作部１２を介して変更されてもよい。
【００４１】
ＵＲＬ１１３は、アドレス部「xxx.jp/xxx/xxx」とパラメータ部「?referer=xxxx」とから構成されている。ここで、アドレス部の「xxx.jp」は、管理サーバ３のネットワーク上のアドレスを示しており、「/xxx/xxx」は、管理サーバ３のディレクトリを示している。パラメータ部の「referer」は、パラメータ名を示しており、「xxxx」は、パラメータ値を示している。ここで、パラメータ値「xxxx」は、生成部１４１が生成したユニークＩＤである。
【００４２】
宛先１１５は、紹介文を通知する相手の端末のアドレスである。例えば、第１の携帯端末１のユーザが、操作部１２を介して、記憶部１３に記憶されているアドレス帳から１以上のユーザのメールアドレスを選択すると、選択されたメールアドレスが宛先１１５に入力される。なお、宛先１１５に入力されるアドレスは、相手の端末が特定できる携帯端末に固有の情報であればよく、例えば、電話番号やニックネームでもよい。宛先１１５が入力された後、操作部１２を介して、紹介ボタン１１４を押下する操作が行われると、紹介部１４２は、宛先１１５に入力された宛先に対してメール（以下、紹介メールという。）を送信する。その後、紹介メールを受信した第２の携帯端末２において、紹介文１１２に基づいて所定のアプリケーションがインストールされる。そして、第２の携帯端末２において、当該所定のアプリケーションが起動されると、ユニークＩＤが管理サーバ３の紹介履歴ＤＢ３１１に記憶される。これらの詳細については、後述する。
【００４３】
特典要求部１４３は、所定のアプリケーションを起動したことに応じて、ユニークＩＤを含み、特典の要求を示す特典要求情報を管理サーバ３に送信する。詳細は後述するが、管理サーバ３は、特典要求情報を受信すると、特典要求情報に含まれているユニークＩＤと一致するユニークＩＤが含まれている場合に、第１の携帯端末１に特典情報を送信する。
【００４４】
特典受信部１４４は、管理サーバ３から特典情報を受信する。特典受信部１４４は、例えば、受信した特典情報を表示部１１に表示させる。特典受信部１４４は、受信した特典情報を記憶部１３に記憶させてもよい。
【００４５】
［第２の携帯端末２の構成例］
続いて、第２の携帯端末２について説明する。第２の携帯端末２は、表示部２１と、操作部２２と、記憶部２３と、制御部２４とを備える。
【００４６】
表示部２１は、例えば、液晶ディスプレイや有機ＥＬディスプレイ等により構成される。表示部２１は、制御部２４の制御に応じて文字や図形等を表示する。
操作部２２は、例えば、ボタンや、表示部２１に重ねて設けられた接触センサ等により構成される。操作部２２は、第２の携帯端末２のユーザから操作入力を受け付ける。
記憶部２３は、例えば、ＲＯＭ、ＲＡＭ及びハードディスク等により構成される。記憶部２３は、第２の携帯端末２を機能させるための各種プログラムを記憶する。なお、記憶部２３は、例えば、第２の携帯端末２に装着されているＳＤメモリーカード等の記憶媒体に各種プログラムを記憶してもよい。
【００４７】
制御部２４は、例えば、ＣＰＵ等により構成される。制御部２４は、第２の携帯端末２に係る機能を統括的に制御する。制御部２４は、インストール部２４１と、識別情報送信部２４２とを備える。
【００４８】
インストール部２４１は、ＵＲＬを介して所定のアプリケーションを取得してインストールする。具体的には、第１の携帯端末１の紹介部１４２が送信した紹介メールを第２の携帯端末２が受信し、第２の携帯端末２のユーザが当該メールを閲覧する。そして、操作部２２を介して、紹介メールに記載されているＵＲＬを選択する操作が行われると、インストール部２４１は、当該ＵＲＬが示すアドレス、すなわち、管理サーバ３にリクエストを送信する。このリクエストには、当該ＵＲＬのパラメータ部に示される第１の携帯端末１のユニークＩＤが含まれている。
【００４９】
管理サーバ３は、第２の携帯端末２から受信したリクエストに基づいて第２の携帯端末２のオペレーティングシステム（以下、ＯＳという。）の種別を判定し、当該ＯＳに対応する所定のアプリケーションのダウンロード先のＵＲＬを第２の携帯端末２に送信する。このＵＲＬには、第１の携帯端末１のユニークＩＤが含まれている。これらの詳細については後述する。
【００５０】
インストール部２４１は、ダウンロード先のＵＲＬを管理サーバ３から受信すると、当該ＵＲＬにリダイレクトする。そして、インストール部２４１は、ダウンロード先のＵＲＬにアクセスし、所定のアプリケーションを取得してインストールする。これにより、所定のアプリケーションが記憶部２３に記憶される。また、インストール部２４１は、ダウンロード先から、ユニークＩＤを取得し、記憶部１３に記憶させる。
【００５１】
識別情報送信部２４２は、インストールされた所定のアプリケーションが実行されることによって機能する。識別情報送信部２４２は、インストールされた所定のアプリケーションが起動したことに応じて、ダウンロード先から取得したユニークＩＤを管理サーバ３に送信する。具体的には、識別情報送信部２４２は、所定のアプリケーションの初回起動時に、インストール部２４１が記憶部１３に記憶したユニークＩＤを管理サーバ３に送信する。管理サーバ３は、ユニークＩＤを受信して記憶し、当該ユニークＩＤを第１の携帯端末１に対する特典の付与に用いる。管理サーバ３の機能については後述する。
【００５２】
［管理サーバ３の構成例］
続いて、管理サーバ３について説明を行う。管理サーバ３は、記憶部３１と、制御部３２とを備える。
記憶部３１は、例えば、ＲＯＭ、ＲＡＭ、ハードディスク、及び管理サーバ３に接続された外部記憶装置等により構成される。ここで、外部記憶装置は、管理サーバ３に直接接続されていてもよいし、通信ネットワークＮを介して通信可能に接続されていてもよい。記憶部３１は、紹介履歴ＤＢ３１１を備える。紹介履歴ＤＢ３１１の詳細は、後述する。
【００５３】
制御部３２は、例えばＣＰＵ等により構成される。制御部３２は、管理サーバ３に係る機能を統括的に制御する。制御部３２は、ＵＲＬ通知部３２１と、識別情報受信部３２２と、記憶制御部３２３と、特典付与部３２４とを備える。
【００５４】
ＵＲＬ通知部３２１は、第２の携帯端末２から、第１の携帯端末１が送信した紹介メールに含まれているＵＲＬに基づくリクエストを受け付けると、当該第２の携帯端末２のＯＳに対応する所定のアプリケーションのダウンロード先のＵＲＬをリダイレクト用のＵＲＬとして、第２の携帯端末２に送信する。
【００５５】
具体的には、ＵＲＬ通知部３２１は、第２の携帯端末２から、紹介メールに含まれているＵＲＬに基づくリクエストを受信すると、当該リクエストのヘッダに含まれているリファラに基づいて第２の携帯端末２のＯＳを特定する。そして、ＵＲＬ通知部３２１は、ＯＳの種別に基づいて、ダウンロード先を、第１のアプリケーションサーバ４又は第２のアプリケーションサーバ５のいずれかに特定する。例えば、ＵＲＬ通知部３２１は、ＯＳの種別が第１の種別である場合、ダウンロード先を第１のアプリケーションサーバ４に特定し、ＯＳの種別が第２の種別である場合、ダウンロード先を第２のアプリケーションサーバ５に特定する。
【００５６】
ここで、各アプリケーションサーバにおける所定のアプリケーションのダウンロード先のＵＲＬは、記憶部３１に予め記憶されている。ＵＲＬ通知部３２１は、特定したアプリケーションサーバに対応するダウンロード先のＵＲＬを選択して第２の携帯端末２に送信する。その後、第２の携帯端末２のインストール部２４１において所定のアプリケーションのインストールが行われて当該アプリケーションが起動すると、ユニークＩＤが管理サーバ３に送信される。
【００５７】
識別情報受信部３２２は、第２の携帯端末２の識別情報送信部２４２が送信したユニークＩＤを受信する。
記憶制御部３２３は、識別情報受信部３２２が受信したユニークＩＤを記憶部３１に記憶させる。具体的には、記憶制御部３２３は、受信したユニークＩＤ、すなわち、紹介メールを送信した第１の携帯端末１のユニークＩＤを、紹介履歴ＤＢ３１１に記憶させる。図５は、第１の実施形態に係る紹介履歴ＤＢ３１１に記憶されているユニークＩＤを示す図である。図５に示すように、紹介履歴ＤＢ３１１には、複数のユニークＩＤが記憶されている。
【００５８】
なお、紹介履歴ＤＢ３１１は、第１の携帯端末１のユニークＩＤと、第２の携帯端末２のユニークＩＤとを関連付けて記憶させてもよい。この場合、第２の携帯端末２の識別情報送信部２４２は、第２の携帯端末２のユニークＩＤを生成し、第１の携帯端末１のユニークＩＤと、第２の携帯端末２のユニークＩＤとを管理サーバ３に送信する。記憶制御部３２３は、識別情報受信部３２２が第１の携帯端末１のユニークＩＤと、第２の携帯端末２のユニークＩＤとを受信したことに応じて、これらのユニークＩＤを関連付けて紹介履歴ＤＢ３１１に記憶させる。このようにすることで、例えば、管理サーバ３のユーザは、所定のアプリケーションがインストールされた第２の携帯端末２を確認することができる。さらに、紹介履歴ＤＢ３１１に重複する情報を記憶させないようにすることで、同一の第２の携帯端末２から複数回ユニークＩＤを送信し、当該ユニークＩＤに基づいて第１の携帯端末１側で複数の特典を取得するという不正行為を防止することができる。
【００５９】
また、紹介履歴ＤＢ３１１は、さらに、所定のアプリケーションを識別するアプリケーションＩＤを関連付けて記憶させてもよい。例えば、第２の携帯端末２の識別情報送信部２４２が、ユニークＩＤとアプリケーションＩＤとを送信し、識別情報受信部３２２がユニークＩＤとアプリケーションＩＤとを受信したことに応じて、これらのＩＤを関連付けて紹介履歴ＤＢ３１１に記憶させる。このようにすることで、例えば、アプリケーション作成機能によって作成された複数のアプリケーションそれぞれに対応する特典を管理サーバ３で一元的に管理することができる。
【００６０】
特典付与部３２４は、識別情報受信部３２２が受信したユニークＩＤに対応する第１の携帯端末１に特典を付与する。具体的には、特典付与部３２４は、第１の携帯端末１の特典要求部１４３が送信した特典要求情報を受信し、当該特典要求情報に含まれるユニークＩＤが記憶部３１の紹介履歴ＤＢ３１１に記憶されている場合に、特典要求情報を送信した第１の携帯端末１に特典を付与する。この特典に係る情報は、管理サーバ３のアプリケーション作成機能により選択された情報であり、記憶部３１に予め記憶されている。
【００６１】
なお、特典を付与したか否かを示す特典付与フラグを紹介履歴ＤＢ３１１に設けておき、特典付与部３２４は、特典を付与したことに応じて特典付与フラグを、特典を付与したことを示す値に変更してもよい。そして、特典付与部３２４は、第１の携帯端末１から受信した特典要求情報に含まれるユニークＩＤが記憶部３１の紹介履歴ＤＢ３１１に記憶され、かつ、特典付与フラグが特典を付与していないことを示す値である場合に特典を付与してもよい。
【００６２】
［アプリケーション提供システムＳの通信シーケンス］
図６は、第１の実施形態に係るアプリケーション提供システムＳにおいて、ユニークＩＤが紹介履歴ＤＢ３１１に記憶されるまでのシーケンスの一例を示す図である。
【００６３】
まず、第１の携帯端末１の生成部１４１は、インストールされている所定のアプリケーションが起動したことに応じて、第１の携帯端末１のユニークＩＤを生成する（Ｓ１）。
続いて、紹介部１４２は、Ｓ１において生成されたユニークＩＤを用いて紹介処理を行う（Ｓ２）。具体的には、紹介部１４２は、生成部１４１が生成したユニークＩＤを含むＵＲＬを含む紹介メールを第２の携帯端末２に送信する。
【００６４】
続いて、第２の携帯端末２は、紹介メールを受信して表示部２１に表示させる。そして、第２の携帯端末２のインストール部２４１は、紹介メールに表示されているＵＲＬの選択操作を受け付けたことに応じて、当該ＵＲＬを選択する（Ｓ３）。インストール部２４１は、管理サーバ３に対して、当該ＵＲＬに含まれているユニークＩＤを含むリクエストを送信する。
【００６５】
続いて、管理サーバ３のＵＲＬ通知部３２１は、第２の携帯端末２からリクエストを受信すると、第２の携帯端末２のＯＳに対応する所定のアプリケーションのダウンロード先のＵＲＬを特定する（Ｓ４）。ＵＲＬ通知部３２１は、ダウンロード先のＵＲＬを第２の携帯端末２に送信する。
【００６６】
続いて、第２の携帯端末２のインストール部２４１は、ダウンロード先のＵＲＬを受信すると、当該ＵＲＬにリダイレクトして、当該ＵＲＬに対応するＷｅｂページから所定のアプリケーションをダウンロードする（Ｓ５）。
続いて、第２の携帯端末２のインストール部２４１は、ダウンロードした所定のアプリケーションのインストールを行う（Ｓ６）。
【００６７】
続いて、第２の携帯端末２の識別情報送信部２４２は、インストールされた所定のアプリケーションが起動したことに応じて、ユニークＩＤを管理サーバ３に送信する（Ｓ７）。管理サーバ３の識別情報受信部３２２がユニークＩＤを受信すると、記憶制御部３２３は、当該ユニークＩＤを紹介履歴ＤＢ３１１に記憶させる（Ｓ８）。
【００６８】
図７は、第１の実施形態に係る第１の携帯端末１が特典を要求してから特典が付与されるまでのシーケンスの一例を示す図である。
まず、所定のアプリケーションを起動すると（Ｓ１１）、第１の携帯端末１の特典要求部１４３は、ユニークＩＤを含み、特典の要求を示す特典要求情報を管理サーバ３に送信する。
【００６９】
管理サーバ３の特典付与部３２４は、第１の携帯端末１から特典要求情報を受信すると、当該特典要求情報に含まれるユニークＩＤが紹介履歴ＤＢ３１１に記憶されているか否かを判定する（Ｓ１２）。特典付与部３２４は、当該ユニークＩＤが紹介履歴ＤＢ３１１に記憶されていると判定した場合、第１の携帯端末１に特典情報を送信する。
【００７０】
特典受信部１４４は、管理サーバ３から特典情報を受信すると、当該特典情報を表示部１１に表示させる（Ｓ１３）。
【００７１】
［第１の実施形態における効果］
以上のとおり、第１の実施形態に係るアプリケーション提供システムＳは、第１の携帯端末１からユニークＩＤを含むＵＲＬを通知された第２の携帯端末２が、当該ＵＲＬを介して所定のアプリケーションをインストールし、当該アプリケーションを起動すると、ユニークＩＤが管理サーバ３に送信される。管理サーバ３は、ユニークＩＤを受信し、当該ユニークＩＤに対応する第１の携帯端末１に特典を付与する。したがって、第１の携帯端末１のユーザは、特典を取得するために、第２の携帯端末２のユーザに所定のアプリケーションに対応するＵＲＬを通知して当該アプリケーションを紹介しようとするので、所定のアプリケーション、すなわち、店舗用のアプリケーションのインストール数を増加させることができる。
【００７２】
また、第１の携帯端末１のユーザは、アドレス帳に記憶されているユーザが所持する第２の携帯端末２に対してＵＲＬを通知する。よって、第２の携帯端末２のユーザは、知り合いのユーザからＵＲＬの通知を受けるので、安心して所定のアプリケーションをインストールすることができ、アプリケーションのインストール数をより増加させることができる。
【００７３】
また、第１の携帯端末１は、所定のアプリケーションがインストールされた後に当該アプリケーションを起動したことに応じて、ユニークＩＤを生成し、当該ユニークＩＤを含むＵＲＬを通知する。すなわち、第１の携帯端末１は、所定のアプリケーションの使用を条件として、特典を付与するためのユニークＩＤを生成するので、所定のアプリケーションを使用することなく特典を得るという不正行為を防ぐことができる。
【００７４】
また、管理サーバ３は、第２の携帯端末２からＵＲＬに基づくリクエストを受け付けると、第２の携帯端末２のＯＳに対応する所定のアプリケーションのダウンロード先のＵＲＬを第２の携帯端末２に送信する。これにより、第１の携帯端末１において、第２の携帯端末２のＯＳの種別を気にすることなくＵＲＬを通知することができる。
【００７５】
また、管理サーバ３は、第１の携帯端末１から特典要求情報を受信したことに応じて第１の携帯端末１に特典を付与する。すなわち、管理サーバ３は、第１の携帯端末１において所定のアプリケーションが使用されている場合に特典を付与するので、特典が付与されたことを第１の携帯端末１のユーザに確実に通知することができる。
【００７６】
＜第２の実施形態＞
［いいねボタンを介してＵＲＬを通知する］
続いて、第２の実施形態について説明する。第２の実施形態は、第１の携帯端末１がＳＮＳサーバ７に対して行った投稿に基づいて、所定のアプリケーションに関連するＵＲＬを通知する点で第１の実施形態と異なり、その他の点では同じである。
【００７７】
［アプリケーション提供システムＳの概要］
図８は、第２の実施形態に係るアプリケーション提供システムＳの概要図である。
アプリケーション提供システムＳは、第１の携帯端末１と、第２の携帯端末２と、管理サーバ３と、第１のアプリケーションサーバ４と、第２のアプリケーションサーバ５と、店舗端末６と、ＳＮＳサーバ７とを備える。
【００７８】
第１の携帯端末１、第２の携帯端末２及び店舗端末６は、通信ネットワークＮを介して、ＳＮＳサーバ７に通信可能に接続されている。ＳＮＳサーバ７は、例えば、Ｆａｃｅｂｏｏｋ（登録商標）や、Ｔｗｉｔｔｅｒ（登録商標）であり、ＳＮＳ（ソーシャル・ネットワークサービス）を利用しているユーザに対して、メッセージを通知することができるサービスである。
【００７９】
図９は、第２の実施形態に係るアプリケーション提供システムＳにおいて、ＳＮＳサービスを利用して所定のアプリケーションに関連するＵＲＬを通知するシーケンスの一例を示す図である。図１０は、ＳＮＳサービスを利用して所定のアプリケーションに関連するＵＲＬを通知する場合における、携帯端末の表示部への表示例を示す図である。以下、図９及び図１０を用いてＳＮＳサービスを利用して所定のアプリケーションに関連するＵＲＬを通知する例について説明する。
【００８０】
まず、所定のアプリケーションの管理者が、管理サーバ３を介して、所定のアプリケーションの紹介情報を投稿する。以下、紹介情報として、所定のアプリケーションの最新情報が投稿されたものとして説明を進める。管理サーバ３は、最新情報を示すＵＲＬを所定のアプリケーションのユーザに通知する。このＵＲＬには、例えば、「http://xxx.jp/xxx?appid=xxxx&view=app」のように２つのパラメータ「appid」及び「view」が付されている。
【００８１】
パラメータ「appid」は、所定のアプリケーションを識別するアプリケーションＩＤであり、パラメータ「view」は、最新情報を表示しているプログラムの種別を示す情報である。例えば、パラメータ「view」のパラメータ値が「app」である場合、所定のアプリケーションを介して最新情報が表示されていることを示し、パラメータ値が「browser」である場合、携帯端末が備えるブラウザを介して最新情報が表示されていることを示している。
【００８２】
管理サーバ３は、所定のアプリケーションを介して最新情報のリクエストを受信する場合、すなわち、パラメータ「view」のパラメータ値が「app」である場合、最新情報に、いいねボタンを付与し、当該最新情報を返信する。図１０Ａは、第２の実施形態に係る第１の携帯端末１において、所定のアプリケーションを介して最新情報が表示された例を示す図である。図１０Ａに示すように、第１の携帯端末１の表示部１１に、いいねボタン１１７が付与された最新情報１１６が表示されていることが確認できる。ここで、いいねボタン１１７には、最新情報を示すＵＲＬが関連付けられている。このＵＲＬには、パラメータ「appid=xxxx&view=browser」が付されている。
【００８３】
なお、いいねボタンとは、写真、動画、リンク、広告等のコンテンツを閲覧したユーザが、当該コンテンツについて肯定的であることを意思表示する手段である。ＳＮＳのユーザがいいねボタンを押下すると、ＳＮＳサーバ７は、当該ユーザに関連付けられている他のＳＮＳのユーザの端末に対して、いいねボタンが押下されたこと、及びいいねボタンに関連付けられているＵＲＬを通知する。
【００８４】
第１の携帯端末１のユーザが、操作部１２を介して、いいねボタン１１７を押下すると（Ｓ２１）、紹介部１４２は、ＳＮＳサーバ７に対して、いいねボタン１１７が押下された旨を示す紹介情報である押下情報を送信する。この押下情報には、第１の携帯端末１のユーザのＳＮＳサービスにおけるＩＤと、いいねボタン１１７に関連付けられている最新情報を示すＵＲＬとが含まれている。ここで、当該ＵＲＬのパラメータ「view」は、「browser」に設定されている。ＳＮＳサーバ７は、押下情報を受信すると、第１の携帯端末１に関連付けられている第２の携帯端末２に、押下情報を紹介するための紹介通知情報を送信する。この紹介通知情報には、パラメータ「view=browser」が付されている最新情報のＵＲＬが含まれている。
【００８５】
第２の携帯端末２のインストール部２４１は、ＳＮＳサーバ７から、最新情報のＵＲＬを含む紹介通知情報を受信する。図１０Ｂは、第２の実施形態に係る第２の携帯端末２において、ブラウザを介して押下通知情報が表示された例を示す図である。図１０Ｂに示すように、第２の携帯端末２の表示部２１には、押下通知情報２１１と、最新情報を示すＵＲＬに関連付けられている確認ボタン２１２とが表示されている。第２の携帯端末２のユーザが、操作部２２を介して、確認ボタン２１２を押下すると（Ｓ２２）、ブラウザは、インストール部２４１として機能し、最新情報のＵＲＬに基づくリクエストを管理サーバ３に送信する。
【００８６】
管理サーバ３のＵＲＬ通知部３２１は、第２の携帯端末２から最新情報のＵＲＬに基づくリクエストを受信する。ＵＲＬ通知部３２１は、受信したリクエストにパラメータ「view」の値が含まれ、かつ、当該パラメータの値が「browser」である場合に、受信したリクエストのヘッダに含まれているリファラに基づいて第２の携帯端末２のＯＳを特定する。そして、ＵＲＬ通知部３２１は、当該ＯＳの種別に基づいて、ダウンロード先を、第１のアプリケーションサーバ４又は第２のアプリケーションサーバ５のいずれかに特定する。ＵＲＬ通知部３２１は、最新情報に、当該ダウンロード先のＵＲＬと関連付けられたインストールボタンを付与し、当該インストールボタン付きの最新情報を第２の携帯端末２に返信する。このようにすることで、ＵＲＬ通知部３２１は、所定のアプリケーションのダウンロード先のＵＲＬを含む紹介情報を第２の携帯端末２に送信する。
【００８７】
図１０Ｃは、第２の実施形態に係る第２の携帯端末２において、ブラウザを介して最新情報が表示された例を示す図である。図１０Ｃに示すように、第２の携帯端末２の表示部２１には、最新情報２１３と、インストールボタン２１４とが表示されていることが確認できる。第２の携帯端末２のユーザが、操作部２２を介して、インストールボタン２１４を押下すると（Ｓ２３）、ブラウザは、インストール部２４１として機能し、インストールボタン２１４に関連付けられているダウンロード先のＵＲＬにアクセスし、アプリケーションの取得要求を行う。その後、ブラウザは、所定のアプリケーションを取得してインストールする。
【００８８】
［第２の実施形態における効果］
以上のとおり、第２の実施形態に係るアプリケーション提供システムＳは、ＳＮＳサーバ７を介して、所定のアプリケーションのＵＲＬを通知するので、ＳＮＳに対する投稿によって、所定のアプリケーションを紹介することができる。したがって、アプリケーション提供システムＳは、ＳＮＳにおいて当該投稿に興味をもつユーザに、所定のアプリケーションを周知することができるので、当該アプリケーションのインストール数をさらに増加させることができる。
【００８９】
＜第３の実施形態＞
［つぶやきを介してＵＲＬを通知する］
続いて、第３の実施形態について説明する。第３の実施形態は、第１の携帯端末１がＳＮＳサーバ７に対して行ったつぶやきに基づいて、所定のアプリケーションに関連するＵＲＬを通知する点で第２の実施形態と異なり、その他の点では同じである。
【００９０】
第３の実施形態において、記憶部１３は、つぶやく内容を予め記憶する。このつぶやく内容には、所定のアプリケーションに関連するＵＲＬが含まれている。当該ＵＲＬは、例えば外部装置において提供されるＵＲＬを短縮するサービスによって短縮ＵＲＬに置換されている。
【００９１】
紹介部１４２は、操作部１２から所定の操作を受け付けたことに応じて、記憶部１３に記憶されている内容をＳＮＳに投稿することにより、ＳＮＳサーバ７に対して所定のアプリケーションに関連するＵＲＬを通知する。具体的には、紹介部１４２は、操作部１２の操作を受け付けたことに応じて、紹介画面を表示部１１に表示させる。図１１は、第３の実施形態に係る表示部１１に所定のアプリケーションの紹介画面が表示された例を示す図である。図１１に示されるように、紹介画面には、つぶやく内容を構成する所定のアプリケーションの紹介文１１８及びＵＲＬ１１９と、つぶやきを投稿するための投稿ボタン１２０とが表示されている。
【００９２】
紹介文１１８は、記憶部１３に記憶されているつぶやく内容を示す。ここで、紹介文１１８は、操作部１２を介して変更されてもよい。
ＵＲＬ１１９は、ＵＲＬを短縮するサービスによって、第１の実施形態に示されているＵＲＬ１１３に示されるＵＲＬ「http://xxx.jp/xxx/xxx?referer=xxxx」が短縮されたＵＲＬを示す。ここでは、短縮されたＵＲＬとして「http://goo.gl/l86uS」が示されている。
【００９３】
操作部１２を介して、投稿ボタン１２０を押下する操作が行われると、紹介部１４２は、ＳＮＳサーバ７に対してつぶやきを投稿する。その後、投稿紹介メールを受信した第２の携帯端末２のインストール部２４１は、ＳＮＳサーバ７からＵＲＬを含む紹介情報を受信し、当該紹介情報に含まれるＵＲＬを介して所定のアプリケーションを取得してインストールする。
【００９４】
［第３の実施形態における効果］
以上のとおり、第３の実施形態に係るアプリケーション提供システムＳは、ＳＮＳサーバ７を介して、所定のアプリケーションのＵＲＬを通知するので、所定のアプリケーションを紹介したいユーザのアドレスを個々に選択することなく所定のアプリケーションを紹介することができる。さらに、アプリケーション提供システムＳは、紹介文に含まれるＵＲＬを短縮するので、ＳＮＳサービスにおいて投稿文字数が制限されている場合であっても、紹介内容に係る文字数の制約を軽減して紹介内容を充実させることができる。
【００９５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【符号の説明】
【００９６】
１・・・第１の携帯端末、１１・・・表示部、１１１・・・件名、１１２・・・紹介文、１１３・・・ＵＲＬ、１１４・・・紹介ボタン、１１５・・・宛先、１１６・・・最新情報、１１７・・・いいねボタン、１１８・・・紹介文、１１９・・・ＵＲＬ、１２０・・・投稿ボタン、１２・・・操作部、１３・・・記憶部、１４・・・制御部、１４１・・・生成部、１４２・・・紹介部、１４３・・・特典要求部、１４４・・・特典受信部、２・・・第２の携帯端末、２１・・・表示部、２１１・・・押下通知情報、２１２・・・確認ボタン、２１３・・・最新情報、２１４・・・インストールボタン、２２・・・操作部、２３・・・記憶部、２４・・・制御部、２４１・・・インストール部、２４２・・・識別情報送信部、３・・・管理サーバ、３１・・・記憶部、３１１・・・紹介履歴ＤＢ、３２・・・制御部、３２１・・・ＵＲＬ通知部、３２２・・・識別情報受信部、３２３・・・記憶制御部、３２４・・・特典付与部、４・・・第１のアプリケーションサーバ、５・・・第２のアプリケーションサーバ、６・・・店舗端末、７・・・ＳＮＳサーバ、Ｎ・・・通信ネットワーク、Ｓ・・・アプリケーション提供システム
【要約】
【課題】店舗用のアプリケーションのインストール数を増加させる。
【解決手段】第１の携帯端末１は、所定のアプリケーションを紹介する操作を受け付けたことに応じて、当該アプリケーションの格納先と関連付けられ、第１の携帯端末１を識別するユニークＩＤを含むＵＲＬを通知する紹介部１４２を有し、第２の携帯端末２は、ＵＲＬを介して所定のアプリケーションを取得してインストールするインストール部２４１と、インストールされた所定のアプリケーションが起動したことに応じて、ユニークＩＤを管理サーバ３に送信する識別情報送信部２４２とを有し、管理サーバ３は、第２の携帯端末２からユニークＩＤを受信する識別情報受信部３２２と、識別情報受信部３２２が受信したユニークＩＤに対応する第１の携帯端末１に特典を付与する特典付与部３２４とを有する。
【選択図】図３【図１】
0005390037.tif 000002
【図２Ａ】
0005390037.tif 000003
【図２Ｂ】
0005390037.tif 000004
【図３】
0005390037.tif 000005
【図４】
0005390037.tif 000006
【図５】
0005390037.tif 000007
【図６】
0005390037.tif 000008
【図７】
0005390037.tif 000009
【図８】
0005390037.tif 000010
【図９】
0005390037.tif 000011
【図１０Ａ】
0005390037.tif 000012
【図１０Ｂ】
0005390037.tif 000013
【図１０Ｃ】
0005390037.tif 000014
【図１１】
0005390037.tif 000015